(57)【要約】      （修正有）【課題】所定の信号の入力により駆動する駆動体によりドアのロックの解除を行うロック解除システムを提供する。【解決手段】ロック解除システム１は、駆動体１０の駆動によりドア１１２のロックの解除を行うシステムであって、駆動体１０は、所定の信号の入力により駆動する。すなわち、駆動体１０は、本体と、本体に対し駆動する駆動部と、駆動部を駆動させるための信号を入力する信号入力部と、を有し、信号入力部により入力された信号により、本体に対し駆動部を駆動させてドア１１２のロックの解除を行うことができる。【選択図】図１
0003227857.tif 000002
【実用新案登録請求の範囲】
【請求項１】
駆動体の駆動により建物におけるドアのロックの解除を行うロック解除システムであって、
前記駆動体は、所定の信号の入力により駆動することを特徴とするロック解除システム。
【請求項２】
前記駆動体は、
本体と、
前記本体に対し駆動する駆動部と、
前記駆動部を駆動させるための前記信号を入力する信号入力部と、を有することを特徴とする請求項１に記載のロック解除システム。
【請求項３】
前記駆動部は、前記本体に前記回動軸を介して軸支されるとともに、前記回動軸を介して回動することにより前記ロックの解除を行うことを特徴とする請求項２に記載のロック解除システム。
【請求項４】
前記本体は、前記駆動部が収納される凹状の凹部が設けられ、前記駆動部は、前記凹部に出没可能に収納されることを特徴とする請求項２に記載のロック解除システム。
【請求項５】
前記ロックの解除は、前記建物に設けられた所定の感知器からの出力を遮蔽することにより行われ、
前記駆動体は、前記駆動部に前記出力を遮蔽するための遮蔽部を設け、前記信号入力部による信号の入力により前記駆動部を前記本体に没した状態から出現した状態として、前記遮蔽部により前記出力を遮蔽することを特徴とする請求項２に記載のロック解除システム。
【請求項６】
前記ドアは、回動体を有して前記回動体を所定に回動させることにより開閉するとともに、前記回動体は、前記回動を行うための外力が付与される把手を有し、
前記駆動体は、前記駆動部を前記回動体の把手に係合させて前記外力を付与することにより前記回動体を回動させ前記ドアのロックの解除を行うことを特徴とする請求項２に記載のロック解除システム。
【請求項７】
前記信号を出力するための信号出力部を有する端末装置を有し、
前記信号入力部は、前記信号出力部から出力される信号を入力することを特徴とする請求項２に記載のロック解除システム。
【請求項８】
前記端末装置は、携帯電話機、スマートホン、またはタブレット端末とすることを特徴とする請求項７に記載のロック解除システム。
【考案の詳細な説明】
【技術分野】
【０００１】
本考案は、ロック解除システムに関し、特に駆動体の駆動により建物におけるドアのロックの解除を行うロック解除システムに関する。
【背景技術】
【０００２】
集合住宅の入口（エントランス）等におけるドアのロック（施錠）の解除（解錠）は、例えば入口の内側に赤外線センサが設けられ、該赤外線センサから照射された赤外線が人（集合住宅の住人）によって遮断されることにより行われるシステムとなっている。
【０００３】
このようなロック解除システムは、例えば、特許文献１に開示される技術を参照することができる。
【先行技術文献】
【特許文献】
【０００４】
【特許文献１】特開２０１７−１６６１０号公報
【考案の概要】
【考案が解決しようとする課題】
【０００５】
ところで、上述した集合住宅においては、住人の出入りの他、来客やビルのメンテナンス業者等の外部の来訪者が来訪したときにも入口におけるドアのロック（施錠）の解除（解錠）を行う必要がある。従来は外部の来訪の際には住人や管理人が入口に出向いて赤外線を遮りドアのロックの解除を行うことが多く、このような開錠が極めて煩雑であるとの指摘がされていた。このような指摘に対し、住人や管理人が入口に出向くことなく所定の信号の入力により駆動する駆動体によりドアのロックの解除を行うロック解除システムの提供が要望されていた。
【０００６】
本願考案は上記事情に鑑みてなされたものであり、所定の信号の入力により駆動する駆動体によりドアのロックの解除を行うロック解除システムを提供することを目的とする。
【課題を解決するための手段】
【０００７】
上記目的を達成するために、本考案に係るロック解除システムは、駆動体の駆動により前記建物におけるドアのロックの解除を行うロック解除システムであって、前記駆動体は、所定の信号の入力により駆動することを特徴とする。
【０００８】
本考案によれば、上記の構成を有することとしたので、所定の信号の入力により駆動する駆動体によりドアのロックの解除を行うことができる。
【０００９】
前記駆動体は、本体と、前記本体に対し駆動する駆動部と、前記駆動部を駆動させるための前記信号を入力する信号入力部と、を有することとすれば、信号入力部により入力された信号により、本体に対し駆動部を駆動させてドアのロックの解除を行うことができる。
【００１０】
前記駆動部は、前記本体に前記回動軸を介して軸支されるとともに、前記回動軸を介して回動することにより前記ロックの解除を行うことができる。
【００１１】
前記本体は、前記駆動部が収納される凹状の凹部が設けられ、前記駆動部は、前記凹部に出没可能に収納されることができる。
【００１２】
前記ロックの解除は、前記建物に設けられた所定の感知器からの出力を遮蔽することにより行われ、前記駆動体は、前記駆動部に前記出力を遮蔽するための遮蔽部を設け、前記信号入力部による信号の入力により前記駆動部を前記本体の凹部に没した状態から出現した状態として、前記遮蔽部により前記出力を遮蔽することとすれば、感知器を用いたドアにおけるロックの解除を行うことができる。
【００１３】
前記ドアは、回動体を有して前記回動体を所定に回動させることにより開閉するとともに、前記回動体は、前記回動を行うための外力が付与される把手を有し、前記駆動体は、前記駆動部を前記回動体の把手に係合させて前記外力を付与することにより前記回動体を回動させ前記ドアのロックの解除を行うこととすれば、回動体を用いたドアにおけるロックの解除を行うことができる。
【００１４】
前記信号を出力するための信号出力部を有する端末装置を有し、前記信号入力部は、前記信号出力部から出力される信号を入力することとすれば、端末装置からの信号の出力によりドアのロックの解除を行うことができる。
【００１５】
前記端末装置は、携帯電話機、スマートホン、またはタブレット端末とすることができる。
【考案の効果】
【００１６】
本考案によれば、所定の信号の入力により駆動する駆動体によりドアのロックの解除を行うことができる。
【図面の簡単な説明】
【００１７】
【図１】本考案の実施形態に係るロック解除システムの全体構成を示す図である。
【図２】同ロック解除システムにより感知器（赤外線センサ）の出力（赤外線）の遮蔽経路を遮蔽した状態を説明するための図で、（ａ）は、出力（赤外線）を遮蔽する前の状態を示す平面図、（ｂ）は出力（赤外線）を遮蔽した後の状態を示す平面図である。
【図３】同ロック解除システムの駆動体の構成を示す図であり、（ａ）は駆動体を駆動させる前の状態を示す斜視図、（ｂ）は駆動体を駆動させた後の状態を示す斜視図である。
【図４】同ロック解除システムの駆動体の構成を分解して示す図であり、（ａ）は遮蔽部を示す斜視図、（ｂ）は本体に対し駆動部を駆動させる前の状態を示す斜視図、（ｃ）は本体に対し駆動部を駆動させた後の状態を示す斜視図である。
【図５】同ロック解除システムの制御系の構成を示すブロック図である。
【図６】同ロック解除システムのコンピュータの構成を示すブロック図である。
【図７】同ロック解除システムのドアのロックの解除方法を説明するためのフローチャートである。
【図８】本考案の変形例を示す図で、（ａ）はドアのロックを解除する前の状態を示す図、（ｂ）はロックを解除する中間の状態を示す図、（ｃ）はロックを解除した状態を示す図である。
【図９】本考案の変形例を示す図で、（ａ）はドアのロックを行う前の状態を示す図、（ｂ）はロックを行う中間の状態を示す図、（ｃ）はロックを行った後の状態を示す図である。
【考案を実施するための形態】
【００１８】
以下、本考案の実施形態について図面を参照して詳細に説明する。図１は、本考案の実施形態に係るロック解除システムの全体構成を示す図、図２は、同ロック解除システムにより感知器（赤外線センサ）の出力（赤外線）の照射経路を遮蔽した状態を説明するための図、図３は、同ロック解除システムの駆動体の構成を示す図、図４は、同ロック解除システムの駆動体の構成を分解して示す図、図５は、同ロック解除システムの制御系の構成を示すブロック図、図６は、同ロック解除システムのコンピュータの構成を示すブロック図である。なお、以下の説明においては、図で示される方向を基準として各方向を定義するものとする。
【００１９】
図１を参照して本考案の実施形態に係るロック解除システム１の概要を説明すると、ロック解除システム１は、駆動体１０の駆動により建物１１０より詳しくは集合住宅１１０の入口（エントランス）１１１におけるドア１１２のロック（施錠）の解除（解錠）を行うシステムであり、駆動体１０は、端末装置１００から出力される所定の信号の入力により駆動することができる。端末装置１００には、所定の信号を出力するための信号出力部１０１を有している。端末装置１００は、携帯電話機、スマートホン、またはタブレット端末とすることができる。
【００２０】
建物１１０（集合住宅１１０）の入口１１１における内側（建物１１０の中側）の天井部１１２ａには、図２に示すように、感知器１１３が設けられている。感知器１１３は、例えば赤外線センサ１１３とすることができ、その出力１１４として赤外線１１４を出射することができる。感知器１１３より詳しくは赤外線センサ１１３は、出力１１４としての赤外線１１４を人や物等の感知対象に照射することにより感知対象を感知することができる。
【００２１】
すなわち、建物１１０（集合住宅１１０）の入口１１１の内側において感知器１１３が所定の出力１１４を出射より詳しくは赤外線センサ１１３が赤外線１１４を出射するとともに、ドア１１２は、出射された赤外線１１４等の出力１１４を遮蔽することによりそのロックを解除することができる。
【００２２】
駆動体１０は、図３乃至図５に示すように、本体１１と、駆動部１２と、遮蔽部１３と、信号入力部１４とを有している。
【００２３】
本体１１は、立体形状より詳しくは直方体形状をなしており、本体１１の正面１１ａには、駆動部１２が収納される凹状の凹部１５が設けられている。
【００２４】
駆動部１２は、本体１１に対し所定の回動軸１１ｂを介して軸支されている。すなわち、駆動部１２は、回動軸１１ｂを介して約９０度の角度範囲で回動することにより駆動することができる。駆動部１２は、矩形状をなしており、本体１１に回動軸１１ｂを介して軸支されるとともに、回動軸１１ｂを介して上方から下方に回動することによりドア１１２のロックの解除を行うことができる。駆動部１２は、本体１１の正面１１ａ側に設けられた凹部１５に出没可能に収納されている。
【００２５】
遮蔽部１３は、駆動部１２の正面１２ａ側（駆動部１２が没した状態における正面側）に設けられており、感知器１１３が出射する出力１１４より詳しくは赤外線センサ１１３が出射する赤外線１１４を遮蔽する機能を有している。遮蔽部１３は、平板状としており、駆動部１２の正面１２ａ側よりも面積が大きく設定されている。遮蔽部１３は、感知器１１３の出力１１４を遮蔽する十分な面積を有している。遮蔽部１３は、感知器１１３の出力１１４を遮蔽することができる材料により形成することができ、例えば光の透過率の低い紙、プラスック、樹脂、木、金属等の材料により形成することができる。
【００２６】
信号入力部１４は、駆動部１２を駆動させるための信号を入力することができる。信号入力部１４は、端末装置１００の信号出力部１０１から出力された信号を入力することができる。信号入力部１４による信号の入力により駆動部１２を本体１１の凹部１５に没した状態から出現した状態として、遮蔽部１３により感知器１１３が出射する出力１１４より詳しくは赤外線センサ１１３が出射する赤外線１１４を遮蔽することができる。
【００２７】
ここで、端末装置１００の信号出力１０１および駆動体１０の信号入力部１４は、駆動体１０を駆動するための制御系を構成する。端末装置１００は、図６に示すように、相互にバス１Ａを介して接続された中央処理装置（ＣＰＵ）１Ｂ、記憶装置（メモリ）１Ｃ、入力装置（キーボード、マウス、タッチパネル）１Ｄ、表示装置（液晶ディスプレー）１Ｅ等を有している。記憶装置１Ｃは、コンピュータ読み取り可能な記憶媒体として機能する。なお、駆動体１０は、本体１１および駆動部１２を市販のスイッチボット（登録商標）により構成することができる。
【００２８】
次に、上記の如く構成されたロック解除システム１によるドア１１２のロックの解除方法を図７のフローチャートに基づいて説明する。
【００２９】
すなわち、まずステップＳ１０において、端末装置１００の信号出力部１０１が所定の信号を出力する。この信号の出力は、ユーザが端末装置１００の入力装置１Ｄを所要に操作することにより行うことができる。
【００３０】
次いで、ステップＳ２０において、駆動体１０の信号入力部１４が、ステップＳ１０で出力された信号を入力する。
【００３１】
これにより、ステップＳ３０において、駆動部１２が本体１１の凹部１５に没した状態から出現した状態となり、遮蔽部１３により感知器１１３が出射する出力１１４より詳しくは赤外線センサ１１３が出射する赤外線１１４を遮蔽することができる。
【００３２】
以上説明したように、本考案のロック解除システム１によれば、所定の信号の入力により駆動する駆動体１０によりドア１１２のロックの解除を行うことができる。
【００３３】
また、駆動体１０は、本体１１と、本体１１に対し駆動する駆動部１２と、駆動部１２を駆動させるための信号を入力する信号入力部１４と、を有することとしたので、信号入力部１４により入力された信号により、本体１１に対し駆動部１２を駆動させてドア１１２のロックの解除を行うことができる。
【００３４】
より詳しくは、駆動体１０は、駆動部１２の正面１２ａ側に感知器１１３が出射する出力１１４より詳しくは赤外線センサ１１３が出射する赤外線１１４を遮蔽するための遮蔽部１３を設け、信号入力部１４による信号の入力により駆動部１２を本体１１の凹部１１ｂに没した状態から出現した状態として、遮蔽部１３により出力１１４より詳しくは赤外線１１４を遮蔽することとしたので、感知器１１３を用いた入口１１０におけるドア１１２のロックの解除を行うことができる。
【００３５】
更に、信号を出力するための信号出力部１０１を有する端末装置１００を有し、信号入力部１４は、信号出力部１０１から出力される信号を入力することとしたので、端末装置１０からの信号の出力によりドア１１２のロックの解除を行うことができる。
【００３６】
なお、本考案は、上述した実施形態に限定されることなく実用新案登録請求の範囲内において種々の応用実施、変形実施が可能であることは勿論である。
【００３７】
すなわち、上述した実施形態においては、ロック解除システム１により、感知器１１３を用いた入口１１０におけるドア１１２のロックの解除を行うこととしているが、このような構成に限定されず、例えば、図８および図９に示すように、円形の回動体２１０すなわちハンドル２１０を有して回動体２１０（ハンドル２１０）を所定に回動させることにより開閉する形式のドア２００のロックの解除を行うこととしてもよい。
【００３８】
つまり、本変形例においては、回動体２１０（ハンドル２１０）は、回動を行うための外力が付与される把手２２０を有しており、把手２２０に外力を付与することにより回動体２１０（ハンドル２１０）を約９０度の各範囲で回動させることができる。
【００３９】
そして、駆動体１０は、上記の通り本体１１に対し駆動部１２が駆動し、駆動部１２の正面１２ｂ側を回動体２１０（ハンドル２１０）の把手２２０に係合させて外力（駆動体１０の駆動力）を付与することにより、回動体２１０（ハンドル２１０）を図８に示すように上方から下方に向かって時計回りに回動させドア２００のロックの解除を行うことができる（図９に示すように回動体２１０（ハンドル２１０）を下方から上方に向かって反時計回りに回動させることにより、ドア２００のロックを行うことができる）。
【００４０】
なお、かかる変形例においては、図からも明らかなように、ドア１１２のロック側とロックの解除側のそれぞれに駆動体１０を設けることとするとロックおよびロックの解除のいずれもスムーズに行うことができるのでより好ましい。
【００４１】
また、建物１１０におけるドア１１２のロックの解除は、所定の信号の入力により駆動体１０を駆動させて行う構成とすることとすれば、上述した感知器１１３を用いたドア１１２や回動体２１０（ハンドル２１０）を用いたドア２００以外のドアのロックの解除であってもよい。
【００４２】
更に、上述した実施形態においては、感知器１１３は赤外線センサ１１３とすることとしているが、赤外線以外の他の光線や信号等を出力する赤外線センサ１１３以外の他の感知器１１３とすることとしてもよい。また、遮蔽部１３は、光の透過率が低い材料の他、感知器１１３から所定の信号が出力される場合にあっては、当該信号を遮蔽することができる材料により形成することができる。
【００４３】
更にまた、上述した実施形態においては、ロック解除システム１は、特に集合住宅１１０の入口（エントランス）１１１におけるドア１１２のロックの解除を行うこととしているが、戸建て住宅、工場、事務所等の集合住宅１１０以外の他の建物１１０のドア１１２のロックの解除を行うこととしてもよい。
【符号の説明】
【００４４】
１：ロック解除システム
１Ａ：バス
１Ｂ：中央処理装置
１Ｃ：記憶装置
１Ｄ：入力装置
１Ｅ：表示装置
１０：駆動体
１１：本体
１１ａ：正面
１１ｂ：回動軸
１２：駆動部
１２ａ：正面
１３：遮蔽部
１４：信号入力部
１５：凹部
１００：端末装置
１０１：信号出力部
１１０：建物（集合住宅）
１１１：入口
１１２：ドア
１１２ａ：天井部
１１３：感知器（赤外線センサ）
１１４：出力（赤外線）
２００：ドア
２１０：回動体
２２０：把手
【図１】
0003227857.tif 000003
【図２】
0003227857.tif 000004
【図３】
0003227857.tif 000005
【図４】
0003227857.tif 000006
【図５】
0003227857.tif 000007
【図６】
0003227857.tif 000008
【図７】
0003227857.tif 000009
【図８】
0003227857.tif 000010
【図９】
0003227857.tif 000011
【手続補正書】
【提出日】令和2年6月16日(2020.6.16)
【手続補正１】
【補正対象書類名】実用新案登録請求の範囲
【補正対象項目名】全文
【補正方法】変更
【補正の内容】
【実用新案登録請求の範囲】
【請求項１】
駆動体の駆動により建物におけるドアのロックの解除を行うロック解除システムであって、
前記駆動体は、所定の信号の入力により駆動し、
前記駆動体は、
本体と、
前記本体に対し駆動する駆動部と、
前記駆動部を駆動させるための前記信号を入力する信号入力部と、を有し、
前記駆動部は、前記本体に回動軸を介して軸支されるとともに、前記回動軸を介して回動することにより前記ロックの解除を行うことを特徴とするロック解除システム。
【請求項２】
前記本体は、前記駆動部が収納される凹状の凹部が設けられ、前記駆動部は、前記凹部に出没可能に収納されることを特徴とする請求項１に記載のロック解除システム。
【請求項３】
前記ロックの解除は、前記建物に設けられた所定の感知器からの出力を遮蔽することにより行われ、
前記駆動体は、前記駆動部に前記出力を遮蔽するための遮蔽部を設け、前記信号入力部による信号の入力により前記駆動部を前記本体に没した状態から出現した状態として、前記遮蔽部により前記出力を遮蔽することを特徴とする請求項１に記載のロック解除システム。
【請求項４】
前記ドアは、回動体を有して前記回動体を所定に回動させることにより開閉するとともに、前記回動体は、前記回動を行うための外力が付与される把手を有し、
前記駆動体は、前記駆動部を前記回動体の把手に係合させて前記外力を付与することにより前記回動体を回動させ前記ドアのロックの解除を行うことを特徴とする請求項１に記載のロック解除システム。
【請求項５】
前記信号を出力するための信号出力部を有する端末装置を有し、
前記信号入力部は、前記信号出力部から出力される信号を入力することを特徴とする請求項１に記載のロック解除システム。
【請求項６】
前記端末装置は、携帯電話機、スマートホン、またはタブレット端末とすることを特徴とする請求項５に記載のロック解除システム。